(57)【要約】【課題】  かすがいの打ち込みによって木造建築物の構造材に生じた亀裂の進展を容易に且つ確実に防止することができる亀裂進展防止具を提供すること。【解決手段】  一方の側辺において回動可能に枢着された一対の基板と、これら一対の基板同士が合わさる方向へと付勢する付勢手段とからなり、前記一対の基板の合わさる側の面には前記構造材へと打ち込んで固定される固定部が設けられてなることを特徴とする亀裂進展防止具とする。【選択図】  図１
2005282021.tif 000002
【特許請求の範囲】
【請求項１】
木造建築物を構成する構造材に生じる亀裂の進展を防止するために用いられる亀裂進展防止具であって、一方の側辺において回動可能に枢着された一対の基板と、これら一対の基板同士が合わさる方向へと付勢する付勢手段とからなり、前記一対の基板の合わさる側の面には前記構造材へと打ち込んで固定される固定部が設けられてなることを特徴とする亀裂進展防止具。
【請求項２】
前記固定部が、前記基板の一方の側辺と対向する他方の側辺に設けられてなることを特徴とする請求項１記載の亀裂進展防止具。
【請求項３】
前記２枚の基板に、それぞれ貫通孔が設けられてなることを特徴とする請求項１又は２記載の亀裂進展防止具。
【請求項４】
前記固定部が、前記他方の側辺に沿って連続して形成された複数の鋸刃状突起からなることを特徴とする請求項２又は３記載の亀裂進展防止具。
【請求項５】
前記固定部が、前記基板に対して着脱可能に構成されてなることを特徴とする請求項１乃至４いずれかに記載の亀裂進展防止具。
【発明の詳細な説明】
【技術分野】
【０００１】
本発明は、木造建築物において、柱、梁、大引等の構造材に生じた亀裂の進展を防止するための亀裂進展防止具に関する。
【背景技術】
【０００２】
従来より、木造建築物においては、大引と束柱等の構造材同士を接続するための方法として、かすがいを構造材に打ち込んで接続する方法が広く用いられている。
しかしながら、このようなかすがい（Ｋ）が打ち込まれた部分の構造材には、図７に示すように亀裂（Ｃ）が生じる場合がある。このような亀裂は、かすがいを打ち込んだ時点では生じていなくても、かすがいが錆びることによる体積増加や木材の乾燥等が原因で、年月の経過に伴って構造材（図示例では大引）の長さ方向に沿って徐々に進展する。
このような構造材に発生した亀裂は、構造材同士の接続強度を低下させるだけでなく、最終的には構造材自体が完全に割れてしまうこともあり、建築物の強度や耐震性を大きく低下させる原因となっていた。
【０００３】
従来、かすがいの形態についての工夫は数多くなされてきたが（例えば、特許文献１参照）、上記したような、かすがいが打ち込まれた構造材に発生する亀裂の進展を容易に且つ確実に防ぐことができる技術は未だ提案されていなかった。
【０００４】
【特許文献１】特開２００３−１６６５１２号公報
【発明の開示】
【発明が解決しようとする課題】
【０００５】
本発明はかかる実情に鑑みてなされたものであって、かすがいの打ち込みによって木造建築物の構造材に生じた亀裂の進展を容易に且つ確実に防止することができる亀裂進展防止具を提供せんとするものである。
【課題を解決するための手段】
【０００６】
請求項１に係る発明は、木造建築物を構成する構造材に生じる亀裂の進展を防止するために用いられる亀裂進展防止具であって、一方の側辺において回動可能に枢着された一対の基板と、これら一対の基板同士が合わさる方向へと付勢する付勢手段とからなり、前記一対の基板の合わさる側の面には前記構造材へと打ち込んで固定される固定部が設けられてなることを特徴とする亀裂進展防止具に関する。
請求項２に係る発明は、前記固定部が、前記基板の一方の側辺と対向する他方の側辺に設けられてなることを特徴とする請求項１記載の亀裂進展防止具に関する。
【０００７】
請求項３に係る発明は、前記２枚の基板にそれぞれ貫通孔が設けられてなることを特徴とする請求項１記載の亀裂進展防止具に関する。
請求項４に係る発明は、前記固定部が、前記他方の側辺に沿って連続して形成された複数の鋸刃状突起からなることを特徴とする請求項２又は３記載の亀裂進展防止具に関する。
請求項５に係る発明は、前記固定部が、前記基板に対して着脱可能に構成されてなることを特徴とする請求項１乃至４いずれかに記載の亀裂進展防止具に関する。
【発明の効果】
【０００８】
請求項１に係る発明によれば、構造材に生じた亀裂を挟むように２枚の基板に設けられた固定部を打ち込むことにより、付勢手段により基板同士が合わさる方向の力が構造材へと加わって、この付勢力が亀裂を閉じる方向へと作用するため、亀裂の進展を確実に防止することが可能となり、木造建築物の強度や耐震性を長期間にわたって維持することができる。
また、亀裂進展防止具を構造材へと打ち込む作業はハンマー等を用いて極めて簡単に行うことができるから、現場での作業性に非常に優れ、未熟練者による作業でも容易に且つ確実に構造材の亀裂進展防止の効果を得ることができる。
さらに、構造が簡単であり、軽量でコンパクトに形成することができるため、取扱い性に優れるとともに、廉価に提供することができる。
請求項２に係る発明によれば、固定部が基板の一方の側辺と対向する他方の側辺に設けられているので、付勢手段による付勢力を固定部へと効果的に伝達することが可能となり、固定部を構造材へとしっかりと固定することができる。
【０００９】
請求項３に係る発明によれば、２枚の基板にそれぞれ設けられた貫通孔に木ねじを挿通して構造材へと打ち込むことによって、亀裂進展防止具を強固に構造材へと固定することが可能となり、亀裂進展防止具の構造材からの離脱を確実に防ぐことができる。
請求項４に係る発明によれば、固定部が他方の側辺に沿って連続して形成された複数の鋸刃状突起からなるので、構造材の長さ方向に沿って断続的に固定部を打ち込んで固定することが可能となり、亀裂の進展をより確実に防ぐことが可能となる。
請求項５に係る発明によれば、固定部が変形したり折れたりして構造材への打ち込みが困難となった場合に、固定部のみを交換して使用を続けることが可能となる。
【発明を実施するための最良の形態】
【００１０】
以下、本発明に係る木造建築物構造材の亀裂進展防止具の好適な実施形態について、図面を参照しつつ説明する。
図１は本発明に係る亀裂進展防止具を示す外観斜視図である。
本発明に係る亀裂進展防止具（１）は、木造建築物を構成する構造材（柱、梁、大引、束柱等）に生じる亀裂の進展を防止するために用いられる亀裂進展防止具であって、回動可能に枢着された２枚一対の基板（２１）（２２）と、これら一対の基板同士が合わさる（重なる）方向へと付勢する付勢手段（３）とからなる。尚、本明細書において、一対の基板同士が合わさった状態において対向する側の面（図１で見えている面）を基板の内面と称し、反対側の面を外面と称する。
【００１１】
２枚の基板（２１）（２２）は、同じ形状の長方形の板からなり、その一方の側辺において回動可能に枢着されている。
図示例では、２枚の基板（２１）（２２）の一方の側辺にそれぞれ円筒状に丸められた湾曲部（２ａ）が形成され、これらの湾曲部（２ａ）に１本の円柱状の軸（４）が挿通されており、これによって、２枚の基板（２１）（２２）は軸（４）を中心として回動可能となっている。
【００１２】
但し、本発明において、２枚の基板（２１）（２２）を回動可能に枢着する構成は、図示例の構成に限定されるものではない。また、基板（２１）（２２）の形状についても、図示例のような長方形に限定されず、他の形状とすることも可能であるが、一方の側辺から他方の側辺までの長さは、４０〜６０ｍｍ程度とすることが好ましい。
【００１３】
基板（２１）（２２）は、高い硬度と剛性と耐衝撃性を併せ持つ材料から形成することが好ましい。これは、本発明に係る亀裂進展防止具は、後述するようにハンマー等で叩くことにより構造材へと打ち込み固定するためである。
材料の一例として、鉄や鋼等の金属材料を挙げることができるが、これらに限定されるものではない。
基板（２１）（２２）の材料として、防錆処理を施した鉄や鋼等、或いはステンレス鋼を用いると、耐食性に優れたものとなるため、より好ましい。
【００１４】
一対の基板（２１）（２２）の内面（合わさる側の面）には、構造材へと打ち込んで固定される固定部（２ｂ）が設けられている。
固定部（２ｂ）は、図１示の例においては、一方の側辺と対向する他の側辺に沿って連続して形成された複数の鋸刃状突起とされている。
但し、本発明においては、固定部（２ｂ）の数や形状はこれに限定されず、例えば、図２に示すように他方の側辺の両端部にのみ鋸刃状突起を設ける構成や、図３に示すように他方の側辺の近傍位置に円錐状の突起を設ける構成などを採用することができる。また、基板（２１）（２２）の裏面の全面にわたって各種形状の突起を設ける構成（図示略）とすることも可能である。
【００１５】
上記したような固定部（２ｂ）は、基板（２１）（２２）と一体的に形成することが好ましいが、固定部（２ｂ）を基板（２１）（２２）に対して着脱可能に構成することも可能である。この場合、例えば基板（２１）（２２）の内面側に他の側辺に沿う溝を形成し、この溝に鋸刃状突起を有する板からなる固定部（２ｂ）をスライドさせて取り付ける構成や、ねじ止めにより固定部を基板に取り付ける構成を例示することができる。
このように、固定部（２ｂ）を基板（２１）（２２）に対して着脱可能に構成すると、固定部（２ｂ）が変形したり折れたりして構造材への打ち込みが困難となった場合に、固定部（２ｂ）のみを交換して使用を続けることが可能となる。
【００１６】
また、本発明においては、一方の基板（２１）に設けられる固定部（２ｂ）と、他方の基板（２２）に設けられる固定部（２ｂ）において、突起の位置を互いにずらすことが好ましい。
例えば、図１に示す例では、鋸刃状突起の山部の位置を一方の基板（２１）と他方の基板（２２）とでずれた位置とし、一方の基板（２１）の山部の位置に他方の基板（２２）の谷部の位置がくるようにするとよい。図２及び図３に示す例でも、一方の基板（２１）と他方の基板（２２）とで突起の位置を互いにずらすことが好ましい。また、左右方向ではなく前後方向にずらす構成、即ち一方の側辺から固定部（２ｂ）までの距離を、一方の基板（２１）と他方の基板（２２）とで異ならせる構成としてもよい。
このように突起の位置を互いにずらす構成とすると、２枚の基板（２１）（２２）の固定部（２ｂ）の突起同士が干渉することがなくなり、基板同士が付勢手段（３）の付勢力により合わさったときに適度な隙間が形成された安定状態となるとともに、突起の変形を防ぐことができる。
【００１７】
付勢手段（３）は、これら２枚の基板（２１）（２２）を互いに合わさる方向（矢印で示している方向）へと付勢するものであって、図示例では、ねじりコイルばねが用いられている。
ねじりコイルばね（３）は、軸（４）に外嵌されており、ねじりコイルばね（３）の一端部が一方の基板（２１）の外面に当接し、他端部が他方の基板（２２）の外面に当接することによって、２枚の基板（２１）（２２）は互いに合わさる（閉じる）方向へと付勢されている。
但し、本発明において、付勢手段（３）の構成はこれに限定されず、２枚の基板（２１）（２２）を互いに合わさる方向へと付勢することができるものであれば、他の構成を採用することも可能である。
【００１８】
２枚の基板（２１）（２２）には、それぞれ貫通孔（２ｃ）が設けられている。
これらの貫通孔（２ｃ）は、木ねじを挿通するための穴であって、その径は木ねじの頭部の径よりも小さく且つねじ部の径よりも大きく設定されている。
貫通孔（２ｃ）の数は、２枚の基板（２１）（２２）にそれぞれ１つ以上設ければよく、その数は特に限定されないが、好ましくは２枚の基板（２１）（２２）にそれぞれ２つ以上設けると、亀裂進展防止具（１）を構造材に対して安定して固定することが可能となるため好ましい。
【００１９】
以下、上記構成からなる本発明に係る亀裂進展防止具（１）の使用方法について説明する。
本発明に係る亀裂進展防止具（１）は、図７に示すような、かすがい（Ｋ）が打ち込まれた部分から構造材（５）の長さ方向に沿って生じている亀裂（Ｃ）の進展を防ぐために好適に用いられる。
先ず、図４に示すように、亀裂進展防止具（１）の２枚の基板（２１）（２２）を開いた状態として、一方の基板（２１）の固定部（２ｂ）が亀裂（Ｃ）の上方に、他方の基板（２２）の固定部（２ｂ）が亀裂（Ｃ）の下方に位置するように配置する。このとき、亀裂進展防止具（１）を亀裂（Ｃ）の進展方向の先端位置か少し先の位置に配置することが好ましい。
尚、亀裂が構造材の縦方向に走っているときには、一方の基板（２１）の固定部（２ｂ）が亀裂の右方に、他方の基板（２２）の固定部（２ｂ）が亀裂の左方に位置するように配置すればよい。
【００２０】
次いで、基板（２１）（２２）を外面側からハンマー等で叩くことによって、図５に示すように、基板（２１）（２２）に形成された固定部（２ｂ）を亀裂（Ｃ）を挟んだ位置にそれぞれ打ち込む。このとき、基板（２１）と基板（２２）の間の角度は、１８０°よりもやや小さい角度、具体的には１５０〜１６０°程度とするとよい。
これは、角度が大きすぎると（１８０°に近すぎると）、付勢手段（３）の付勢力が亀裂（Ｃ）を閉じる方向へと作用しなくなるため好ましくなく、逆に角度が小さすぎると、固定部を構造材へと打ち込みにくくなる上に構造材から外れ易くなって、亀裂進展防止具（１）を構造材（５）へとしっかりと固定することが不可能となり好ましくないためである。
【００２１】
そして、最後に図６に示すように、２枚の基板（２１）（２２）に設けられた貫通孔（２ｃ）に木ねじ（６）を挿通して構造材（５）へと打ち込む（ねじ込む）ことにより、亀裂進展防止具（１）を構造材（５）に対して確実且つ強固に固定する。
【００２２】
このように、構造材（５）に生じた亀裂（Ｃ）を挟むように亀裂進展防止具（１）の２枚の基板（２１）（２２）に設けられた固定部（２ｂ）を打ち込むことにより、付勢手段（３）により基板同士が合わさる方向の力が構造材（５）へと加わって、この付勢力が亀裂を閉じる方向へと作用する。従って、亀裂の進展を確実に防止することが可能となり、木造建築物の強度や耐震性を長期間にわたって維持することができる。
【００２３】
本発明に係る亀裂進展防止具は、上記したようなかすがいの打ち込みにより発生した亀裂の進展を防止するために好適に用いられるが、他の原因で発生した亀裂の進展防止のためにも用いることができるのは言うまでもない。
【産業上の利用可能性】
【００２４】
本発明は、大引と束柱、柱と梁等の木造建築物の構造材同士の接続部において、かすがい等の打ち込みにより発生する亀裂の進展を防止するために用いられる。
【図面の簡単な説明】
【００２５】
【図１】本発明に係る亀裂進展防止具を示す外観斜視図である。
【図２】基板部に設けられる固定部の形状の変更例を示す図である。
【図３】基板部に設けられる固定部の形状の変更例を示す図である。
【図４】本発明に係る亀裂進展防止具の使用方法を示す図である。
【図５】本発明に係る亀裂進展防止具の使用方法を示す図である。
【図６】本発明に係る亀裂進展防止具の使用方法を示す図である。
【図７】本発明に係る亀裂進展防止具が適用される木造建築物の構造材の接合部分を示す図である。
【符号の説明】
【００２６】
１      亀裂進展防止具
２１    一方の基板
２２    他方の基板
２ａ    湾曲部
２ｂ    固定部
２ｃ    貫通孔
３      付勢手段
４      軸
５      構造材
Ｃ      亀裂
Ｋ      かすがい
【図１】
2005282021.tif 000003
【図２】
2005282021.tif 000004
【図３】
2005282021.tif 000005
【図４】
2005282021.tif 000006
【図５】
2005282021.tif 000007
【図６】
2005282021.tif 000008
【図７】
2005282021.tif 000009